(57)【特許請求の範囲】
【請求項１】
ファン部とモ−タ−部とからなり、モ−タ−部のステ−タ−を断面円形のブラケットの内側に固定したものであって、前記ステ−タ−を励磁巻線を有し対向する一対の磁極コア−と、該磁極コア−の両端部に両端がそれぞれ連結された一対の円弧状をした継鉄コア−とから形成し、
前記継鉄コア−の外側面と前記ブラケットの内側面との間に通風用の間隙を形成すると共に、前記継鉄コア−に対向する前記ブラケットの内側面に突起を設け、この突起によって前記通風用の間隙を確保したことを特徴とする電動送風機。
【請求項２】
ファン部とモ−タ−部とからなり、モ−タ−部のステ−タ−を断面円形のブラケットの内側に固定したものであって、前記ステ−タ−を励磁巻線を有し対向する一対の磁極コア−と、該磁極コア−の両端部に両端がそれぞれ連結された一対の円弧状をした継鉄コア−とから形成し、
前記継鉄コア−の外側面と前記ブラケットの内側面との間に通風用の間隙を形成すると共に、前記継鉄コア−の外側面に突起を設け、この突起によって前記通風用の間隙を確保したことを特徴とする電動送風機。
【請求項３】
前記通風用の間隙は、前記モ−タ−部のロ−タ−と継鉄コア−との間の内側空間よりも狭くしたことを特徴とする請求項１又は請求項２記載の電動送風機。
【発明の詳細な説明】
【０００１】
【発明の属する技術分野】
この発明は、分割された複数の部材から形成されたステ−タ−を有するモ−タ−部を具備した電動送風機に関するものである。
【０００２】
【従来の技術】
図６と図７は特開平８−３１７５７９号公報に示された従来の電動送風機を示す縦断面図と要部断面図である。
図６と図７において、１００は電動送風機であり、ファン１０１を収納するファン部１０２と、このファン１０１を高速回転するモ−タ−部１０６とから構成され、モ−タ−部１０６のステ−タ−１０３をブラケット１０４に圧入固定するとともにロ−タ−１０５を、該ブラケット１０４に回転自在に支持している。１０７はロ−タ−１０５の軸１０８を両端より支持する軸受、１０９はファン部１０２とモ−タ−部１０６との間に設けられファン１０１からの高速気流をスム−スにモ−タ−部１０６に案内する案内羽根である。
【０００３】
次に、ブラケット１０４にステ−タ−１０３とロ−タ−１０５をそれぞれ収納した状態を説明する。
１１０は、中央に細径の銅線材より成る励磁捲線Ａを巻回する磁極１１１と、この磁極１１１の左右に延在する腕部１１２とを有する磁極部材であり、該磁極部材１１０を所定数積層固定して磁極コア−１１３が形成され、一対の磁極コア−１１３が互いに対向してブラケット１０４に圧入固定される。１１４は各磁極コア−１１３の腕部１１２の内側に形成された係合凸部である。
【０００４】
１１５は両端で内側に屈曲した角部１１６を有し、該角部１１６の外端部に係合凸部１１４と係合する係合凹部１１７を有する略コ字状の継鉄部材であり、該継鉄部材１１５を所定数積層固定して、一対の継鉄コア−１１８が形成される。該継鉄コア−１１８と磁極コア−１１３は図７に示すようにその両端部が連結され、かつ係合凸部１１４と係合凹部１１７が係合して、ステ−タ−１０３が組み立てられる。該ステ−タ−１０３はブラケット１０４の内側に圧入固定される。
【０００５】
１１９は、磁性部材１１０の相対向する磁極１１１間に配置されるロ−タ−部材であり、積層固定することでロ−タ−１０５が構成され、外周に捲線（図示せず）を巻回するように成っている。１２０は磁極１１１と継鉄コア−１１８との間に形成され捲線Ａを巻回する捲線空間である。１２１はブラケット１０４と継鉄コア−１１８間に形成される円弧状の外側風路、１２２は継鉄コア−１１８とロ−タ−１０５間に形成される内側風路である。
【０００６】
このような従来例の電動送風機１００においては、磁極１１１に所定数の励磁捲線Ａを巻回した後に、磁極コア−１１３と継鉄コア−１１８を連結しブラケット１０４に圧入固定するために、励磁捲線Ａの磁極１１１への巻回作業効率は著しく向上することができる。
【０００７】
【発明が解決しようとする課題】
一般的にモ−タ−１０６の性能は、電流と励磁捲線Ａの巻数との積の大小と励磁捲線Ａの電気抵抗損によって左右される。すなわち上記のような従来例の電動送風機では、磁極１１１と継鉄コア−１１８間に形成される捲線空間１２０を大きく形成する設計的意図はされておらず、抵抗の大きい細い線径の励磁捲線Ａを巻回しざるを得なく、発熱効率が悪い結果となっている。なおも、ファン１０１からの外気は、内側風路１２２と外側風路１２１に分散され、一番高温となる励磁捲線Ａやロ−タ−１０５に巻回された捲線（図示せず）が十分に空冷できないという問題点があった。
【０００８】
この発明は、かかる問題点を解決するためになされたもので、ステ−タ−を構成する継鉄コア−の形状改善により、空冷効果を高め、捲線の電気的抵抗を少なくし、さらには、銅線を磁極コア−に捲線し易い作業効率の高い電動送風機を提供することを目的とする。
【０００９】
【課題を解決するための手段】
この発明に係る電動送風機においては、ファン部とモ−タ−部とからなり、モ−タ−部のステ−タ−を断面円形のブラケットの内側に固定したものであって、前記ステ−タ−を励磁巻線を有し対向する一対の磁極コア−と、該磁極コア−の両端部に両端がそれぞれ連結された一対の円弧状をした継鉄コア−とから形成し、前記継鉄コア−の外側面と前記ブラケットの内側面との間に通風用の間隙を形成すると共に、前記継鉄コア−に対向する前記ブラケットの内側面に突起を設け、この突起によって前記通風用の間隙を確保したものである。
【００１０】
また、この発明に係る電動送風機においては、ファン部とモ−タ−部とからなり、モ−タ−部のステ−タ−を断面円形のブラケットの内側に固定したものであって、前記ステ−タ−を励磁巻線を有し対向する一対の磁極コア−と、該磁極コア−の両端部に両端がそれぞれ連結された一対の円弧状をした継鉄コア−とから形成し、
前記継鉄コア−の外側面と前記ブラケットの内側面との間に通風用の間隙を形成すると共に、前記継鉄コア−の外側面に突起を設け、この突起によって前記通風用の間隙を確保したものである。
さらに、前記通風用の間隙は、前記モ−タ−部のロ−タ−と継鉄コア−との間の内側空間よりも狭くしたものである。
【００１１】
【発明の実施の形態】
実施の形態１．
図１から図３はこの発明の実施の形態１を示し、図１は電動送風機の縦断面図、図２はブラケット部の横断面図、図３はステ−タ−を形成する磁極コア−と継鉄コア−の分解斜視図である。
図において、１は電動送風機で、ファン２と該ファン２からの高速回転気流を後述するモ−タ−部９に移動させる案内羽根３とからなるファン部４と、排気口５Ａを有する略円筒状のブラケット５の内側に圧入固定されたステ−タ−６と両端を軸受７に回転自在に支持されたロ−タ−８とからなるモ−タ−部９とで構成されている。
【００１２】
１４は内側面が略半円状に形成された磁極１０と、この磁極１０から左右に直線状に延在する腕部１１、該腕部１１の内側に有する係合凸部１２より成る磁極部材１３を積層固定して形成した磁極コア−である。１８は、その両端部１５に係合凸部１２と係合する係合凹部１６をそれぞれ有し、ブラケット５の内径とその外側面がほぼ同径に形成された円弧状の継鉄部材１７を積層固定して形成された継鉄コア−である。ステ−タ−６は、予め対向して配置された一対の磁極コア−１４の両端部間に、一対の継鉄コア−１８をそれぞれ対向して連結することにより形成される。Ａは磁極コア−１４と継鉄コア−１８を連結する前に、磁極１０の外側に所定数だけ巻回される銅線より成る励磁捲線、１９は磁極１０と継鉄コア−１８との間で形成される捲線空間である。
【００１３】
ロ−タ−８は、磁極１０間に配置され、外周に多数のＵ溝２０を有し、該Ｕ溝２０には銅線より成る捲線Ｂが施されている。２１は、ロ−タ−８と継鉄コア−１８との間に形成された円弧状の内側空間である。
【００１４】
このように構成された電動送風機１の組立時においては、まず磁極コア−１４の磁極１０に励磁捲線Ａを巻回する。この時、予め継鉄コア−１８が円弧状に形成されているために捲線空間１８は広く確保できるので、電気的抵抗の少ない比較的大径の銅線が使用できる。次に、対向して配置した磁極コア−１４のそれぞれの両端部にある係合凸部１２に、継鉄コア−１８の係合凹部１７をそれぞれ係合固定して、ステ−タ−６を形成する。そして、ブラケット５の内側に、ステ−タ−６を治工具を用いて直接圧入固定する。
【００１５】
その後、各種部品を組み立て、モ−タ−部９とファン部２を結合して電動送風機１の組立が完成する。この結果、モ−タ−部９に通電すると外気は高速回転するファン２によりファン部４内を通過し、案内羽根３を経てモ−タ−部９内に流入する。この時、外気のほとんどがロ−タ−８と継鉄コア−１８との間の内側空間２１を通過することで、高温化されている励磁捲線Ａや捲線Ｂを確実に冷却しながら、排気口５Ａより排出される。また、継鉄コア−１８がブラケット５の内側に接触しているためにブラケット５を磁路として活用できるので、有効磁路巾が広がり、鉄損が改善される。すなわち、高効率の電動送風機となる。
【００１６】
実施の形態２．
図４は、この発明の実施の形態２を示すもので、モ−タ−部９の横断面図を示す。図中、実施の形態１と同一の構成には同じ符号を付し、説明を省略する。図において、１８Ａは円弧状をした継鉄コア−で、外側面をブラケット５Ａのわずかに内側方向へ位置させ、ブラケット５との間に通風用の間隙２２を形成している。なおこの通風用の間隙２２も面積比は内側空間２１よりも十分小さいものである。２３はブラケット５Ａの内側面に形成した突起でステ−タ−６Ａをブラケット５Ａに圧入固定する際のガイドと通風用の間隙２２を確実に確保するためのものである。
このような構成において、ファン２からの外気はモ−タ−部９内に侵入し、ブラケット５Ａの内側空間２１はもとより通風用の間隙２２も通過する。この結果、ブラケット５Ａは確実に全周囲が冷却されることなる。
なお、突起２３は継鉄コア−１８Ａ側に設けても良いものである。
【００１７】
実施の形態３．
図５は、この発明の実施の形態３を示すもので、モ−タ−部９の横断面図を示す。図中、実施の形態１と同一の構成には同じ符号を付し、説明を省略する。
図において、１８Ｂはブラケット５に対向する外側面の一部を平坦面２４が形成するよう切欠き、さらに両端部に屈曲部２５を形成した継鉄コア−である。２２Ａは平坦面２４とブラケット５の間に形成される通風用の間隙で、その開口面積は内側空間２１より十分小さいものである。
このように構成されているために、継鉄コア−１８Ｂの外周部は通風用の間隙２２Ａを通る外気により確実に冷却される。
【００１８】
【発明の効果】
この発明は、以上説明したように構成されているので、以下に示すような効果を奏する。
【００１９】
ステ−タ−を、磁極部材とブラケットの内径と略同形の円弧状に形成した継鉄部材とに分割して構成することで、励磁捲線の巻回作業が容易にできると共に、捲線空間が広く確保できるので、電気抵抗の少ない大径の銅線が使用でき、高効率化が図かれると共に、外気のほとんどを円弧状に形成された内側空間に流すことで、外気の流れがスム−スに成ると共に、高温化されている励磁捲線Ａや捲線Ｂを確実に冷却することができる。さらに、継鉄コアの外周がブラケットの内径と同形に形成されているために、継鉄コア−がブラケットへの挿入ガイドとなり、ステ−タ−の圧入固定が容易となると共に、ブラケットを磁路として活用できるので、鉄損の改善も可能となる。
【００２０】
さらに、ステ−タ−を構成する継鉄コア−とブラケットとの間に、開口面積が内側空間よりも狭い通風用の間隙を設けることで、ステ−タ−の空冷を確実に行なうことができる。
【００２１】
【図面の簡単な説明】
【図１】この発明の実施の形態１を示す電動送風機の縦断面図である。
【図２】この発明の実施の形態１を示す電動送風機の横断面図である。
【図３】この発明の実施の形態１を示す要部分解斜視図である。
【図４】この発明の実施の形態２を示す電動送風機の一部切り欠き横断面図である。
【図５】この発明の実施の形態３を示す電動送風機の一部切り欠き横断面図である。
【図６】従来の電動送風機を示す縦断面図である。
【図７】図６における電動送風機の横断面図である。
【符号の説明】
４  ファン部、５  ブラケット、６  ステ−タ−、８  ロ−タ−、９  モ−タ−部、１０  磁極、１３  磁極部材、１４  磁極コア−、１７  継鉄部材、１８  継鉄コア−、１９  捲線空間、２１  内側空間、２２  通風用の間隙、２３  突起、Ａ  捲線。
【図１】
0003544153.tif 000002
【図２】
0003544153.tif 000003
【図３】
0003544153.tif 000004
【図４】
0003544153.tif 000005
【図５】
0003544153.tif 000006
【図６】
0003544153.tif 000007
【図７】
0003544153.tif 000008